(57)【要約】【課題】上糸への張力解除の動作および縫製作業の動作における操作性を向上させる。【解決手段】皿浮かしレバー２２は、突起部２０ｃを押圧することにより糸調子ばね１５の付勢力に抗して皿浮かしピン９を押圧する方向に皿浮かし板２０を押圧する押圧部２２ａ、および押圧部２２ａよりも皿浮かし板２０から離間して位置し突起部２０ｃを押圧しない非押圧部２２ｂを備え、押圧部２２ａが突起部２０ｃに対向しその状態が維持される押圧位置と、非押圧部２２ｂが突起部２０ｃに対向する非押圧位置との間を移動可能とする。【選択図】      図３
2009119236.tif 000002
【特許請求の範囲】
【請求項１】
一対の糸調子皿、前記両糸調子皿のうち一方の糸調子皿を他方の糸調子皿の方向に押し付ける押さえ部材、前記押さえ部材を介して前記両糸調子皿を相互に圧接する方向に付勢する付勢部材、および前記付勢部材の付勢力に抗して前記押さえ部材を押圧することにより前記両糸調子皿の圧接力を弱める解除部材を有し、前記両糸調子皿によって上糸を挟持することにより前記上糸に張力を付与し、前記解除部材を押圧することにより前記両糸調子皿の圧接力を弱めて前記上糸への張力を解除する糸調子機構に備えられたミシンの皿浮かし機構であって、
前記解除部材に当接して前記解除部材を押圧する皿浮かし板と、
前記解除部材に対して前記皿浮かし板を接離可能に支持する支持部材と、
前記皿浮かし板における前記解除部材が当接する面と反対側の一面に突出形成された突起部と、
前記皿浮かし板の突起部が形成される側に沿って回動可能に支持される皿浮かしレバーと、を備え、
前記皿浮かしレバーは、
前記突起部を押圧することにより前記付勢部材の付勢力に抗して前記解除部材を押圧する方向に前記皿浮かし板を押圧する押圧部、および前記押圧部よりも前記皿浮かし板から離間して位置し前記突起部を押圧しない非押圧部を備え、
前記押圧部が前記突起部に対向しその状態が維持される押圧位置と、前記非押圧部が前記突起部に対向する非押圧位置との間を移動可能とすることを特徴とするミシンの皿浮かし機構。
【請求項２】
ミシンの縫製開始時に前記両糸調子皿を圧接して前記上糸に張力を付与する糸緩め解除装置を有し、
糸緩め解除装置は、縫い針の上下動に連動し、前記皿浮かしレバーが前記押圧位置に位置した状態において、前記縫い針が下死点の方向に移動するときに、前記皿浮かしレバーを押圧して前記押圧位置から前記非押圧位置に移動する糸緩め解除部材を備えたことを特徴とする請求項１に記載のミシンの皿浮かし機構。
【請求項３】
前記皿浮かしレバーにおける前記突起部に対向する面と反対側の一面に糸緩め解除ピンを形成し、前記糸緩め解除部材は、前記糸緩め解除ピンを押圧することにより、前記皿浮かしレバーを前記押圧位置から前記非押圧位置に移動することを特徴とする請求項２に記載のミシンの皿浮かし機構。
【発明の詳細な説明】
【技術分野】
【０００１】
本発明は、一対の糸調子皿により上糸に付与された張力を解除するミシンの皿浮かし機構に関する。
【背景技術】
【０００２】
従来より、一般にミシンにおいては、巻きばね等の付勢部材により相互に圧接する方向に付勢された一対の糸調子皿の間隙に上糸を挟持することにより、上糸に所定の張力を付与して、天秤の糸引き上げ力に抗して余分な上糸の繰り出しを防止するための糸調子機構が設けられている（例えば、特許文献１参照）。
【０００３】
また、このような糸調子機構を備えたミシンにおいては、両糸調子皿によって上糸に付与された張力を解除する皿浮かし機構が備えられており、このような皿浮かし機構として、従来より、縫製の際に布地を押さえる布押さえの押さえ上げ動作と、糸調子機構による上糸への張力の解除動作とを同時に行う皿浮かし機構が用いられている（例えば、特許文献２参照）。
【０００４】
図１１は、従来の押さえ上げ動作と上糸への張力の解除動作を同時に行う皿浮かし機構を備えた糸調子機構の一例を示す説明図であり、図１１は、従来の押さえ上げ動作と上糸への張力の解除動作を同時に行う皿浮かし機構を備えた糸調子機構の一例を示す斜視図であり、図１１に示すように、この糸調子機構３１は、一対の糸調子皿３２（３２ａ、３２ｂ）を備えた糸調子器３３が糸調子台３５に対して水平に並列配置して取り付けられている。糸調子器３３は、両糸調子皿３２のうち一方の糸調子皿３２ａを糸調子台３５側に配置された他方の糸調子皿３２ｂの方向に押さえる押さえ部材としての皿押さえ３６、および皿押さえ３６を介して両糸調子皿３２を糸調子台３５側に付勢する付勢部材としての糸調子ばね３７を備えている。
【０００５】
両糸調子皿３２の中央部には、解除部材としての皿浮かしピン３８が挿通されており、皿浮かしピン３８は、その先端部によって糸調子ばね３７の付勢力に抗して皿押さえ３６を押圧することにより、両糸調子皿３２を浮かせて圧接力を弱めるようになっている。皿浮かしピン３８は、糸調子台３５における糸調子器３３が配設されている正面と反対側の背面に延出するように糸調子台３５に挿通されており、皿浮かしピン３８における糸調子台３５の背面に延出された先端は、糸調子台３５の背面に配設された皿浮かし板３９に当接するようになっている。
【０００６】
そして、皿浮かし機構４０は、押さえ上げ動作にともなって動作するリンク体４１を介して皿浮かし押し棒４２によって皿浮かし板３９を糸調子台３５側に押圧するようになっており、これにより、皿浮かしピン３８を押圧して両糸調子皿３２を浮かせて、上糸への張力を解除するようになっている。
【０００７】
ここで、二本針縫いミシンであって、一方の針を止めて他方の針のみで縫製可能な片針付きミシンにおいて、布地の角部を縫製する際に、押さえ上げ動作を行って布押さえを上げて布地を取り回しする必要がある。このとき、押さえ上げ動作にともなって両糸調子皿３２を浮かせることにより上糸への張力が解除されてしまうと縫い目が汚くなってしまう。
【０００８】
そこで、片針付きミシンにおいては、図１２に示すように、皿浮かしレバー４５を用いて皿浮かし板３９を押圧することにより、両糸調子皿３２を浮かせて上糸への張力を解除する皿浮かし機構４０が用いられている。この機構では、押さえ上げ動作にともなって上糸の張力が解除されない。
【０００９】
この皿浮かしレバー４５を用いた皿浮かし機構４０においては、皿浮かしレバー４５の中央部分が止めねじ４６によって糸調子台３５の背面に固設されている。皿浮かしレバー４５の一端部分は、皿浮かし板３９における糸調子台３５に対向する面と反対側の背面に当接して配置される当接部４５ａとされており、皿浮かしレバー４５の他端部分は、糸調子台３５に切り欠き形成された開口部３５ａを介して、糸調子台３５の正面側に配置される操作部４５ｂとされている。
【００１０】
この皿浮かしレバー４５を用いた皿浮かし機構４０は、皿浮かしレバー４５の操作部４５ｂを手動により糸調子台３５の背面側に押圧することにより、糸調子台３５との固定部分を支点として当接部４５ａを糸調子台３５の正面側に移動させる。これにより、皿浮かし板３９を正面側に押圧して、皿浮かしピン３８を押圧することにより、両糸調子皿３２を浮かせて、上糸への張力を解除するようになっていた。
【００１１】
【特許文献１】特開平１１−２２６２７３号公報
【特許文献２】特開２００３−１０５８０号公報
【発明の開示】
【発明が解決しようとする課題】
【００１２】
しかし、前述のような皿浮かし板３９を用いた皿浮かし機構４０によれば、上糸に太い縫い糸を用いてこの上糸への張力を解除する場合、両糸調子皿３２に挟持されている太い上糸への張力を解除するために、両糸調子皿３２を離間させる必要があり、より大きな力によって皿浮かしレバー４５を糸調子台３５の背面側に押圧して皿浮かしピン３８を押圧し、両糸調子皿３２を離間させなければならない。このため、皿浮かしレバー４５を押圧しながら上糸を引き出す場合や糸調子機構３１に上糸を通す場合の操作性が悪くなってしまっていた。
【００１３】
また、上糸への張力を解除しながら種々の操作を行う場合、一方の手で皿浮かしレバー４５を押圧しながら他方の手で異なる作業を行う必要があり、片手で作業を行わなければならず、操作性が悪いという問題を有していた。
【００１４】
本発明はこれらの点に鑑みてなされたものであり、上糸への張力解除の動作および縫製作業の動作における操作性を向上させることが可能なミシンの皿浮かし機構を提供することを目的とする。
【課題を解決するための手段】
【００１５】
前記目的を達成するため、請求項１に記載の発明に係るミシンの皿浮かし機構の特徴は、一対の糸調子皿、前記両糸調子皿のうち一方の糸調子皿を他方の糸調子皿の方向に押し付ける押さえ部材、前記押さえ部材を介して前記両糸調子皿を相互に圧接する方向に付勢する付勢部材、および前記付勢部材の付勢力に抗して前記押さえ部材を押圧することにより前記両糸調子皿の圧接力を弱める解除部材を有し、前記両糸調子皿によって上糸を挟持することにより前記上糸に張力を付与し、前記解除部材を押圧することにより前記両糸調子皿の圧接力を弱めて前記上糸への張力を解除する糸調子機構に備えられたミシンの皿浮かし機構であって、前記解除部材に当接して前記解除部材を押圧する皿浮かし板と、前記解除部材に対して前記皿浮かし板を接離可能に支持する支持部材と、前記皿浮かし板における前記解除部材が当接する面と反対側の一面に突出形成された突起部と、前記皿浮かし板の突起部が形成される側に沿って回動可能に支持される皿浮かしレバーとを備え、前記皿浮かしレバーは、前記突起部を押圧することにより前記付勢部材の付勢力に抗して前記解除部材を押圧する方向に前記皿浮かし板を押圧する押圧部、および前記押圧部よりも前記皿浮かし板から離間して位置し前記突起部を押圧しない非押圧部を備え、前記押圧部が前記突起部に対向しその状態が維持される押圧位置と、前記非押圧部が前記突起部に対向する非押圧位置との間を移動可能とする点にある。
【００１６】
この請求項１に記載の発明によれば、皿浮かしレバーを操作することにより、皿浮かし板の突起部に皿浮かしレバーの押圧部を対向するように位置させて、容易に皿浮かし板を押圧することができる。また、突起部に皿浮かしレバーの押圧部を乗り上げさせることにより、手で押さえ続けることなく皿浮かし板が押圧された状態、すなわち解除部材が押圧された状態を維持することができる。
【００１７】
請求項２に記載の発明に係るミシンの皿浮かし機構の特徴は、請求項１に記載のミシンの皿浮かし機構において、ミシンの縫製開始時に前記両糸調子皿を圧接して前記上糸に張力を付与する糸緩め解除装置を有し、糸緩め解除装置は、縫い針の上下動に連動し、前記皿浮かしレバーが前記押圧位置に位置した状態において、前記縫い針が下死点の方向に移動するときに、前記皿浮かしレバーを押圧して前記押圧位置から前記非押圧位置に移動する糸緩め解除部材を備えた点にある。
【００１８】
この請求項２に記載の発明によれば、皿浮かしレバーが押圧位置に位置した状態において、縫い針が下死点の方向に移動するときに、糸緩め解除部材によって皿浮かしレバーを押圧することにより、皿浮かしレバーを押圧位置から非押圧位置の方向に移動することができる。これにより、両糸調子皿が非圧接状態であって糸調子機構によって上糸への張力が付与されない状態で縫製を開始してしまうという不都合を確実に防止することができる。
【００１９】
請求項３に記載の発明に係るミシンの皿浮かし機構の特徴は、請求項２に記載のミシンの皿浮かし機構において、前記皿浮かしレバーにおける前記突起部に対向する面と反対側の一面に糸緩め解除ピンを形成し、前記糸緩め解除部材は、前記糸緩め解除ピンを押圧することにより、前記皿浮かしレバーを前記押圧位置から前記非押圧位置に移動する点にある。
【００２０】
この請求項３に記載の発明によれば、皿浮かしレバーが押圧位置に位置した状態において、縫い針が下死点の方向に移動するときに、糸緩め解除部材によって皿浮かしレバーの糸緩め解除ピンを押圧することにより、皿浮かしレバーを押圧位置から非押圧位置の方向に移動することができる。これにより、両糸調子皿が非圧接状態であって糸調子機構によって上糸への張力が付与されない状態で縫製を開始してしまうという不都合を確実に防止することができる。
【発明の効果】
【００２１】
以上述べたように、本発明に係るミシンの皿浮かし機構によれば、皿浮かしレバーを操作して皿浮かしレバーを回動させることにより、容易に解除部材を押圧して両糸調子皿の圧接力を弱めることができる。このため、上糸に太い糸を用いた場合であっても、上糸への張力を解除しながら上糸を引き出したり糸調子に上糸を通す際の操作性を向上させることができる。また、手で押さえ続けることなく解除部材が押圧された状態を維持することができるので、上糸への張力を解除しながら片手で縫製作業を行う際の操作性を向上させることができる。
【発明を実施するための最良の形態】
【００２２】
以下、本発明に係るミシンの皿浮かし機構の一実施形態を図１から図１０を参照して説明する。本実施形態においては、皿浮かし機構が用いられた糸調子機構において糸調子器が設けられている側を正面、反対側を背面として説明する。
【００２３】
図１は、本実施形態に係る皿浮かし機構を用いた糸調子機構を示す分解斜視図であり、図２は、図１の糸調子機構における糸調子器の分解斜視図である。
【００２４】
図１に示すように、皿浮かし機構１は、糸調子機構２における糸調子台３の背面に備えられている。本実施形態において糸調子機構２は、糸調子台３の正面側にミシンの上糸に張力を付与するための２つの糸調子器５を備えており、両糸調子器５は同一の構造を有している。
【００２５】
図２に示すように、糸調子器５においては、円板状の一対の糸調子皿６、７が対向して配置されており、両糸調子皿６、７によって上糸を挟持することにより、上糸に所定の張力を付与するようになっている。両糸調子皿６、７の中心部分にそれぞれ形成された貫通孔６ａ、７ａには糸調子棒８が挿通されており、糸調子棒８の中空部分８ａには、解除部材としての皿浮かしピン９が挿通されている。糸調子棒８の正面側の一端部分における外周面には、雄ねじ８ｂが形成されており、この雄ねじ８ｂが形成されている部分には、スリット８ｃが形成されている。また、糸調子棒８の他端部の近傍には、係止溝８ｄが形成されている。
【００２６】
この糸調子棒８は、コイルばねにおける一端を糸取り部１０ａとして曲げて形成された糸取りばね１０の中心部分に挿通されており、この糸取りばね１０は、円筒状に形成された糸調子棒台１１の中空部分１１ａに配置されている。そして、糸調子棒台１１の中空部分１１ａに配置された糸調子棒８および糸取りばね１０は、糸調子棒台１１に形成されたねじ穴１１ｂに螺合される止めねじ１２により、糸調子棒台１１に固定されるようになっており、糸取りばね１０におけるコイル部１０ｂにおける他端部は、糸調子棒８に形成された係止溝８ｄに係止されている。
【００２７】
糸調子棒台１１における正面側の一端縁には、糸取りばね１０の糸取り部１０ａにおける基部を受けるための切り欠き部１１ｃが形成されており、この切り欠き部１１ｃの縁は、糸取りばね１０の揺動ストロークの上限を決めるストッパとして作用するようになっている。
【００２８】
両糸調子皿６、７の正面側には、両糸調子皿６、７のうち一方の糸調子皿６を糸調子台３側に配置された他方の糸調子皿７の方向に押さえるための押さえ部材としての円板状の皿押さえ１３が配設されている。この皿押さえ１３は、正面において、皿押さえ１３を介して両糸調子皿６、７を相互に圧接する方向に付勢する付勢部材としての円錐コイル状の糸調子ばね１５を受けており、糸調子機構２は、この糸調子ばね１５の付勢力により、両糸調子皿６、７を相互に圧接させて両糸調子皿６、７に挟持された上糸に所定の張力を付与するようになっている。
【００２９】
皿押さえ１３の中心部分には、糸調子棒８に形成されたスリット８ｃを介して皿浮かしピン９を受けるための橋渡部１３ａが設けられている。また、この皿押さえ１３は、糸調子棒８の中空部分８ａに挿通された皿浮かしピン９によって糸調子ばね１５の付勢力に抗して正面側に押圧される。これにより、糸調子機構２においては、両糸調子皿６、７の圧接力が弱められて上糸への張力が解除されるようになっている。
【００３０】
糸調子ばね１５の正面側には、円板状の糸調子皿回転止め１６が配設されており、糸調子皿回転止め１６の正面側には、糸調子ナット１７が配設されている。糸調子皿回転止め１６の正面には、糸調子ナット１７に対する回転止め用の凹凸１６ａが形成されているとともに、糸調子皿回転止め１６の中心部に形成された貫通孔１６ｂには、糸調子ばね１５の正面側の一端部を係止する係止部１６ｃが配設されている。糸調子ナット１７の中心には、糸調子棒８の雄ねじ８ｂに螺合する雌ねじ（図示せず）が形成された貫通孔１７ａが形成されている。
【００３１】
両糸調子器５は、以下のように組み立てられている。
【００３２】
糸取りばね１０の内部に糸取り棒を挿通させ、糸取りばね１０のコイル部１０ｂにおける端部を糸取り棒の係止溝８ｄに係止させる。糸取りばね１０の糸取り部１０ａを糸調子棒台１１の切り欠き部１１ｃから外部に露出させるようにして、この糸取り棒が挿通された糸取りばね１０を糸調子棒台１１の内部に配置し、止めねじ１２を糸調子棒台１１のねじ穴１１ｂに螺合することによって糸調子棒８を糸調子棒台１１に固定する。この糸調子棒台１１の内部に配置された糸調子棒８の内部に、皿浮かしピン９を挿入するとともに、皿浮かしピン９が挿入された糸調子棒８を、両糸調子皿６、７の中心部分の貫通孔６ａ、７ａに挿通し、糸調子棒８のスリット８ｃに皿押さえ１３の橋渡部１３ａを入れるようにして、糸調子棒８を皿押さえ１３に通す。この糸調子棒８を、糸調子ばね１５に挿通し、糸調子ばね１５の一端部を糸調子皿回転止め１６の係止部１６ｃに係止して、糸調子ナット１７を糸調子棒８の雄ねじ８ｂに螺合させる。そして、両糸調子器５は、糸調子台３に貫通して固着された円筒状の糸調子器台１８における筒内部に糸調子棒台１１を挿入させるようにして糸調子台３の正面に配置され、皿浮かしピン９の背面側の他端部が糸調子台３の背面側に延出するようにして取り付けられている。
【００３３】
糸調子台３の背面側には、両糸調子器５における皿浮かしピン９の他端部に当接して皿浮かしピン９を正面側に押圧する皿浮かし板２０が配設されている。この皿浮かし板２０は、当接部２０ａから延設されている固定部２０ｂにおいて、止めねじ２１（支持部材）により糸調子台３に対して、接離可能に支持されている。この皿浮かし板２０における皿浮かしピン９に当接する当接部２０ａは、通常の状態においては皿浮かしピン９の他端部に当接しないか、または押圧しない程度に当接する位置に配置され、正面側に押圧されることにより、皿浮かしピン９に当接して皿浮かしピン９を正面側に押圧するようになっている。また、当接部２０ａの背面には、突起部２０ｃが突出形成されている。
【００３４】
皿浮かし板２０の背面側には、突起部２０ｃに当接して皿浮かし板２０を正面側に押圧する皿浮かしレバー２２が配設されている。この皿浮かしレバー２２の一端部分には、突起部２０ｃを押圧することにより皿浮かしピン９を正面側に押圧する方向に皿浮かし板２０を押圧する押圧部２２ａと、押圧部２２ａよりも皿浮かし板２０から離間して位置し突起部２０ｃを押圧しない非押圧部２２ｂとが形成されており、押圧部２２ａと非押圧部２２ｂとは傾斜面２２ｃを介して連設されている。皿浮かしレバー２２の他端部は、糸調子台３に切り欠き形成された開口部３ａを介して糸調子台３の正面に延出して配置される操作部２２ｄとされている。操作部２２ｄと押圧部２２ａは、固定部２２ｅを介して連設されている。そして、皿浮かしレバー２２は、固定部２２ｅにおいて止めねじ２３によって回動自在に糸調子台３に取り付けられており、押圧部２２ａが突起部２０ｃに対向する押圧位置と、非押圧部２２ｂが突起部２０ｃに対向する非押圧位置との間を、皿浮かし板２０に対して水平方向に回動するようになっている。
【００３５】
次に、本実施形態の作用について説明する。
【００３６】
本実施形態における皿浮かし機構１を用いた糸調子機構２は、図３（ａ）、図４（ａ）、図５（ａ）に示すように、皿浮かしレバー２２の非押圧部２２ｂが皿浮かし板２０の突起部２０ｃに対向するように位置する状態において、皿浮かしピン９は、皿浮かし板２０に押圧されない。このため、皿押さえ１３を介して糸調子ばね１５の付勢力が両糸調子皿６、７に加わり、両糸調子皿６、７が圧接された状態となる。これにより、糸調子機構２は、両糸調子皿６、７の間隙に上糸を通すことにより、圧接状態の両糸調子皿６、７によって上糸を挟持して、上糸に所定の張力を付与する。
【００３７】
このように両糸調子皿６、７によって上糸に付与された張力を解除するには、まず、糸調子台３の正面側に延出された皿浮かしレバー２２の操作部２２ｄを、手動によって所定の位置に移動させることにより、皿浮かしレバー２２を糸調子台３に対して水平方向に回動させる。これにより、皿浮かし機構１においては、皿浮かし板２０の突起部２０ｃが皿浮かしレバー２２の非押圧部２２ｂから傾斜部を介して押圧部２２ａに対向する。そして、押圧部２２ａを突起部２０ｃに乗り上げさせることにより、手で押さえ続けていなくても突起部２０ｃが押圧部２２ａに対向する状態を維持することができる。このとき、皿浮かし機構１は、皿浮かしレバー２２の押圧部２２ａにより突起部２０ｃを介して皿浮かし板２０を正面側に押圧し、この皿浮かし板２０により、皿浮かしピン９を正面側に押圧する。すると、糸調子機構２は、この皿浮かしピン９の一端部により糸調子ばね１５の付勢力に抗して皿押さえ１３を正面側に押圧し、これにより、両糸調子皿６、７の圧接力を弱めて上糸への張力を解除する。
【００３８】
このように、本実施形態によれば、皿浮かしレバー２２の操作部２２ｄを移動させることにより、皿浮かし板２０の突起部２０ｃに皿浮かしレバー２２の押圧部２２ａを対向するように位置させて、容易に皿浮かし板２０を正面側に移動させることができる。また、突起部２０ｃに皿浮かしレバー２２の押圧部２２ａを乗り上げさせることにより、手で押さえ続けることなく皿浮かし板２０が正面側に押圧された状態、すなわち皿押さえ１３が正面側に押圧された状態を維持することができる。
【００３９】
したがって、皿浮かしレバー２２の操作部２２ｄを操作して皿浮かしレバー２２を回動させることにより、容易に皿浮かしピン９を正面側に押圧して両糸調子皿６、７の圧接力を弱めることができる。このため、上糸に太い糸を用いた場合であっても、上糸への張力を解除しながら上糸を引き出したり糸調子に上糸を通す際の操作性を向上させることができる。また、手で押さえ続けることなく皿浮かしピン９が正面側に押圧された状態を維持することができるので、上糸への張力を解除しながら片手で縫製作業を行う際の操作性を向上させることができる。
【００４０】
さらに、皿浮かしレバー２２において、押圧部２２ａと非押圧部２２ｂとは傾斜面２２ｃを介して連設されているので、皿浮かし板２０の突起部２０ｃを非押圧部２２ｂから押圧部２２ａに対向させる際に皿浮かしレバー２２を円滑に回動させることができる。
【００４１】
次に、本発明に係る第２の実施形態について図６から図１０を参照して説明する。ここで、第１の実施形態と同一の構成については同一の符号を用いて説明し、詳説を省略する。
【００４２】
図６に示すように、第２の実施形態に係る皿浮かし機構１は、ミシンの縫製開始時に両糸調子皿６、７を圧接させて上糸に張力を付与する糸緩め解除装置２５を有している。糸緩め解除装置２５は、皿浮かしレバー２２の押圧部２２ａにおける皿浮かし板２０の突起部２０ｃに対向する面と反対側の背面に突出して形成された糸緩め解除ピン２２ｆを有している。
【００４３】
さらに、糸緩め解除装置２５は、一端縁において糸緩め解除ピン２２ｆを介して皿浮かしレバー２２を押圧する押圧部２６ａと、押圧部２６ａの他端縁に垂設された取付部２６ｂとを備えたＬ字状の糸緩め解除部材２６を有している。糸緩め解除部材２６は、取付部２６ｂが図示しない針棒クランクロッド角駒に連結されることにより、図示しない縫い針の上下動に連動して上下動するようになっている。この糸緩め解除部材２６は、ミシンの縫製開始時であって、縫い針が下死点より上方に位置するときに、糸緩め解除ピン２２ｆの上方に位置するように設けられている。
【００４４】
押圧部２６ａの一端縁は、下端部から上端部に向けて突出するように糸緩め解除部材２６の上下動方向に対して傾斜する傾斜縁とされており、糸緩め解除部材２６は、皿浮かしレバー２２が押圧位置に位置した状態において、縫い針が下死点の方向に移動するときに、まず押圧部２６ａの一端縁における下端部が糸緩め解除ピン２２ｆに接触するようになっている。また、糸緩め解除部材２６は、さらなる下降動作によって糸緩め解除ピン２２ｆに押圧部２５ａの一端縁における下端部から上端部に向けて接触させて糸緩め解除ピン２２ｆを押圧することにより、皿浮かしレバー２２を押圧して押圧位置から非押圧位置に移動するようになっている。また、糸緩め解除部材２６は、縫い針の上下動とともに上下動する際に、皿浮かしレバー２２が非押圧位置に位置しているときには、糸緩め解除ピン２２ｆに接触しない位置に設けられている。
【００４５】
そして、糸緩め解除装置２５は、糸緩め解除部材２６によって糸緩め解除ピン２２ｆを押圧して皿浮かしレバー２２を押圧位置から非押圧位置に移動することにより、皿浮かし板２０による皿浮かしピン９の押圧を解除して、ミシンの縫製開始時に、両糸調子皿６、７を圧接状態として上糸に張力を付与するようになっている。
【００４６】
続いて、第２の実施形態におけるミシンの縫製開始時に、皿浮かしレバー２２が押圧位置に位置して、両糸調子皿６、７による上糸への張力が解除されている場合の糸緩め解除装置２５の作用について、図７から図１０を用いて説明する。
【００４７】
まず、ミシンの縫製開始時においては、縫い針は針板の上方に位置する。ここで、図７（ａ）に示すように、皿浮かしレバー２２が押圧位置に位置し、押圧部２２ｂが皿浮かし板２０の突起部２０ｃに対向して皿浮かし板２０を押圧しているとき、図７（ｂ）に示すように、糸緩め解除部材２６における押圧部２６ａの下端部は、糸緩め解除ピン２２ｆの上方に位置する。
【００４８】
次に、ミシンの縫製動作が開始し、縫い針が下死点の方向に下降すると、図８（ｂ）に示すように、この縫い針の下降にともなって、糸緩め解除ピン２２ｆも下降して、押圧部２６ａの一端縁における下端部が糸緩め解除ピン２２ｆに接触する。糸緩め解除部材２６は、さらなる下降動作によって、糸緩め解除ピン２２ｆに押圧部２５ａがその一端縁における下端部から上端部に向けて接触することにより、図８（ａ）に示すように、皿浮かしレバー２２を押圧位置から非押圧位置に移動する方向に糸緩め解除ピン２２ｆを押圧する。
【００４９】
さらに、図９（ｂ）に示すように、糸緩め解除部材２６が縫い針の下降動作とともに最下死点まで下降したとき、図９（ａ）に示すように、皿浮かしレバー２２の傾斜面２２ｃは、皿浮かし板２０の突起部２０ｃに対向して位置する。ここで、皿浮かし板２０は、糸調子ばね１５によって糸調子棒８を介して背面側に付勢されている皿浮かしピン９により背面側に押圧されている。このため、皿浮かしレバー２２は、糸緩め解除部材２６の押圧により突起部２０ｃが傾斜面２２ｃに対向する位置に移動すると、その後は、この皿浮かし板２０の背面側への押圧力により、突起部２０ｃによって傾斜面２２ｃの背面を押圧されながら、非押圧位置の方向へ移動する。
【００５０】
これにより、図１０（ａ）に示すように、皿浮かしレバー２２は、非押圧位置に移動し、皿浮かしレバー２２の糸緩め解除ピン２２ｆは、図１０（ｂ）に示すように、上下動する糸緩め解除部材２６に接触しない位置に移動する。この状態で、ミシンの縫製動作を行う。
【００５１】
第２の実施形態によれば、第１の実施形態と同様に、皿浮かしレバー２２の操作部２２ｄを移動させることにより、容易に皿浮かし板２０を正面側に移動させることができる。また、突起部２０ｃに皿浮かしレバー２２の押圧部２２ａを乗り上げさせることにより、手で押さえ続けることなく皿浮かし板２０が正面側に押圧された状態、すなわち皿押さえ１３が正面側に押圧された状態を維持することができる。
【００５２】
したがって、容易に皿浮かしピン９を正面側に押圧して両糸調子皿６、７の圧接力を弱めることができるので、上糸への張力を解除しながら上糸を引き出したり糸調子に上糸を通す際や、上糸への張力を解除しながら片手で縫製作業を行う際の操作性を向上させることができる。
【００５３】
また、皿浮かし機構１における糸緩め解除装置２５は、皿浮かしレバー２２が押圧位置に位置した状態において、縫い針が下死点の方向に移動するときに、糸緩め解除部材２６によって皿浮かしレバー２２の糸緩め解除ピン２２ｆを押圧することにより、皿浮かしレバー２２を押圧位置から非押圧位置の方向に移動することができる。これにより、両糸調子皿６、７が非圧接状態であって糸調子機構２によって上糸への張力が付与されない状態で縫製を開始してしまうという不都合を確実に防止することができる。
【００５４】
また、糸緩め解除ピン２２ｆは、皿浮かしレバー２２が非押圧位置に位置するときには、皿浮かしレバー２２の非押圧位置への移動にともない糸緩め解除部材２６と接触しない位置に移動する。このため、糸緩め解除装置２５においては、糸緩め解除部材２６が縫い針とともに上下動する際の糸緩め解除部材２６と糸緩め解除ピン２２ｆとの接触による異音の発生や、部品の疲労、衝撃による破壊を防止することができる。
【００５５】
さらに、糸緩め解除部材２６は、ミシンの縫製開始時であって縫い針が下死点より上方に位置するときに、糸緩め解除ピン２２ｆの上方に位置するので、糸緩め解除部材２６の上下動によって、皿浮かしレバー２２の押圧位置と非押圧位置との間の移動と異なる方向に糸緩め解除ピン２２ｆを押し上げてしまうのを防止することができる。これにより、皿浮かしレバー２２や糸緩め解除部材２６の破損を防止することができる。
【００５６】
なお、本発明は前記実施形態に限定されるものではなく、必要に応じて種々変更することが可能である。
【００５７】
例えば、本実施形態においては、皿浮かし機構１を用いた糸調子機構２が糸調子台３に取り付けられているが、これに限定されず、例えば、ミシンのアーム部に直接取り付けてもよい。また、糸調子器５の構造等は、本実施形態の構造に限定されるものではない。
【００５８】
また、第２の実施形態においては、糸緩め解除部材２６は、針棒クランクロッド角駒に連結されることにより、縫い針の上下動に連動するようになっているが、本発明はこれに限定されるものではなく、縫い針の上下動に連動するように設けられていればよい。
【図面の簡単な説明】
【００５９】
【図１】本発明に係る皿浮かし機構を用いた糸調子機構の一実施形態を示す分解斜視図
【図２】図１の糸調子機構における糸調子器を示す分解斜視図
【図３】（ａ）は、図１の皿浮かし機構における皿浮かしレバーの非押圧部が突起部に対向する場合を示す背面図、（ｂ）は、図３（ａ）において皿浮かしレバーの押圧部が突起部に対向する場合を示す背面図
【図４】（ａ）は図３（ａ）を矢印Ａの方向から視認した場合を示す側面図、（ｂ）は、図３（ｂ）を矢印Ａの方向から視認した場合を示す側面図
【図５】（ａ）は図３（ａ）を矢印ｂの方向から視認した場合を示す側面図、（ｂ）は、図３（ｂ）を矢印Ｂの方向から視認した場合を示す側面図
【図６】本発明に係る皿浮かし機構を用いた糸調子機構の第２の実施形態を示す分解斜視図
【図７】（ａ）は、図６の皿浮かし機構における皿浮かしレバーが押圧位置に位置する状態を示す概略側面図、（ｂ）は、図７（ａ）の状態の皿浮かしレバーと糸緩め解除部材との位置関係を示す概略平面図
【図８】（ａ）は、図６の皿浮かし機構における皿浮かしレバーの押圧位置から非押圧位置への移動を示す概略側面図、（ｂ）は、図８（ａ）の状態の皿浮かしレバーと糸緩め解除部材との位置関係を示す概略平面図
【図９】（ａ）は、図６の皿浮かし機構における皿浮かしレバーの傾斜面が突起部に対向する状態を示す概略側面図、（ｂ）は、図９（ａ）の状態の皿浮かしレバーと糸緩め解除部材との位置関係を示す概略平面図
【図１０】（ａ）は、図６の皿浮かし機構における皿浮かしレバーが非押圧位置に位置する状態を示す概略側面図、（ｂ）は、図１０（ａ）の状態の皿浮かしレバーと糸緩め解除部材との位置関係を示す概略平面図
【図１１】従来の糸調子機構の一例を示す説明図
【図１２】（ａ）は、従来の糸調子機構の他の例を示す正面図、（ｂ）は、図１２（ａ）の糸調子機構を背面側から視認した場合を示す斜視図
【符号の説明】
【００６０】
１  皿浮かし機構
２  糸調子機構
３  糸調子台
５  糸調子器
６、７  糸調子皿
６ａ、７ａ  貫通孔
８  糸調子棒
９  皿浮かしピン
１０  糸取りばね
１１  糸調子棒台
１３  皿押さえ
１５  糸調子ばね
１６  糸調子皿回転止め
１７  糸調子ナット
２０  皿浮かし板
２０ａ  当接部
２０ｂ  固定部
２０ｃ  突起部
２２  皿浮かしレバー
２２ａ  押圧部
２２ｂ  非押圧部
２２ｃ  傾斜面
２２ｄ  操作部
２２ｅ  固定部
【図１】
2009119236.tif 000003
【図２】
2009119236.tif 000004
【図３】
2009119236.tif 000005
【図４】
2009119236.tif 000006
【図５】
2009119236.tif 000007
【図６】
2009119236.tif 000008
【図７】
2009119236.tif 000009
【図８】
2009119236.tif 000010
【図９】
2009119236.tif 000011
【図１０】
2009119236.tif 000012
【図１１】
2009119236.tif 000013
【図１２】
2009119236.tif 000014